(57)【要約】【課題】従来のパネルにスイッチを取付ける手段は、着脱自在であるためスイッチを取外すことは容易であり、不正にスイッチを取外すことが可能であった。そこで、着脱は容易であるが、スイッチ取付具を破壊しなければ取外すことができず、不正にスイッチを取外すことができないスイッチ取付具を提供することを目的とする。【解決手段】スイッチの外面に凹凸部を備えており、該凹凸部と嵌合する嵌合突起を設けたスイッチ取付具であって、前記嵌合突起が前記凹凸部を摺動しながら段階的に嵌合することによりパネルに取付けられ、前記スイッチ取付具を破壊することによりパネルから取外すことが可能となる構成とする。【選択図】図１
2010067420.tif 000002
【特許請求の範囲】
【請求項１】
スイッチの外面に凹凸部を備えており、該凹凸部と嵌合する嵌合突起を設けたスイッチ取付具であって、前記嵌合突起が前記凹凸部を摺動しながら段階的に嵌合することによりパネルに取付けられ、前記スイッチ取付具を破壊することによりパネルから取外すことが可能となることを特徴とするスイッチ取付具。
【請求項２】
請求項１記載のスイッチ取付具において、前記スイッチ取付具は回転を抑止するための回転抑止具と、前記スイッチと嵌合するための固定具と、それらを繋ぐ連結部からなり、前記固定具を回転させて連結部を切断することにより前記スイッチ取付具を破壊してパネルから取外すことを特徴とするスイッチ取付具。
【請求項３】
請求項２記載のスイッチ取付具において、前記連結部は弾性を有し、取付け強度を増加させる方向に付勢することを特徴とするスイッチ取付具。
【請求項４】
請求項１記載のスイッチ取付具において、前記スイッチ取付具の側面に薄肉部を設け、該薄肉部を引き裂くことにより前記スイッチ取付具を破壊してパネルから取外すことを特徴とするスイッチ取付具。
【発明の詳細な説明】
【技術分野】
【０００１】
本発明は、パネルにスイッチを取付けるスイッチ取付具に係り、破壊しなければ取外すことができないスイッチ取付具に関する。
【背景技術】
【０００２】
従来のパネルにスイッチを取付ける手段は、スイッチに樹脂バネを設けパネル前面から嵌め込むものや、スイッチにネジ山を設けナットで締め付けるものが一般的であった。
また、リング状取付け固定用部材を回動させることでスイッチの取付け及び取外しを行うものも提案されていた。（下記特許文献１参照）
【特許文献１】実開平６−４８７１号公報
【発明の開示】
【発明が解決しようとする課題】
【０００３】
しかしながら、従来の取付け手段は着脱自在であるために、スイッチの取外しが容易であり、不正にスイッチを取外すことが可能であるという問題があった。そこで、装着後は取外すことができない構造のスイッチ取付具とすることも考えられるが、メンテナンス性が悪くなるという問題があった。
【０００４】
そこで本発明のスイッチ取付具は上記の問題を解決可能なスイッチ取付具を提供することを目的とする。
【課題を解決するための手段】
【０００５】
本発明は上記目的を達成するために、
〔１〕スイッチの外面に凹凸部を備えており、該凹凸部と嵌合する嵌合突起を設けたスイッチ取付具であって、前記嵌合突起が前記凹凸部を摺動しながら段階的に嵌合することによりパネルに取付けられ、前記スイッチ取付具を破壊することによりパネルから取外すことが可能となることを特徴とする。
〔２〕上記〔１〕記載のスイッチ取付具において、前記スイッチ取付具は回転を抑止するための回転抑止具と、前記スイッチと嵌合するための固定具と、それらを繋ぐ連結部からなり、前記固定具を回転させて連結部を切断することにより前記スイッチ取付具を破壊してパネルから取外すことを特徴とする。
〔３〕上記〔２〕記載のスイッチ取付具において、前記連結部は弾性を有し、取付け強度を増加させる方向に付勢することを特徴とする。
〔４〕上記〔１〕記載のスイッチ取付具において、前記スイッチ取付具の側面に薄肉部を設け、該薄肉部を引き裂くことにより前記スイッチ取付具を破壊してパネルから取外すことを特徴とする。
【発明の効果】
【０００６】
本発明によれば、次のような効果を奏することができる。
（１）スイッチを容易に着脱できる。
（２）着脱が容易であるが、スイッチ取付具を破壊しないかぎり取外すことができない。
（３）スイッチ取付具を破壊することで、スイッチを取外した痕跡を残すことができる。
（４）工具を使用しなくても、容易に取外しができる。
（５）嵌合突起が凹凸部と摺動しながら段階的に嵌合するので、多様なパネル厚に対応できる。
（６）連結部によって取付け強度を増加させる方向に付勢するので、強固に取付けができる。
（７）連結部が弾性を有し押圧によって撓むので、より多様なパネル厚に対応ができる。
【発明を実施するための最良の形態】
【０００７】
本発明は、スイッチの外面に凹凸部を備えており、該凹凸部と嵌合する嵌合突起を設けたスイッチ取付具であって、前記嵌合突起が前記凹凸部を摺動しながら段階的に嵌合することによりパネルに取付けられ、前記スイッチ取付具を破壊することによりパネルから取外すことが可能となる。
【実施例】
【０００８】
以下、本発明の実施例について、図面を参照しながら詳細に説明する。
【０００９】
図１は本発明の第一実施例を表すスイッチ取付具の斜視図、図２は本発明の第一実施例を表すスイッチ取付具の側面図、図３は本発明の第一実施例を表すスイッチ取付具の平面図、図４は本発明の第一実施例を表すスイッチ取付具のＡ−Ａ断面図、図５は本発明の第一実施例を表すスイッチの側面図、図６は本発明の第一実施例を表すスイッチ取付け時の側面図、図７は本発明の第一実施例を表すスイッチ取付け時の要部断面図を示している。
【００１０】
図１から図７において、１は回転抑止具、２は固定具、３は前記回転抑止具と固定具を繋いでいる連結部であり、４は上記した回転抑止具１、固定具２及び連結部３からなるスイッチ取付具である。また、５はスイッチであり、６はスイッチ５を取付けるパネルである。
【００１１】
スイッチ５の外面には凹凸部５ａ及び回転止め溝５ｂが形成されており、スイッチ取付具４の回転抑止具１には回転止め溝５ｂと係合する回転止め突起１ａが形成され、固定具２には凹凸部５ａと嵌合する嵌合突起２ａが設けられている。
【００１２】
以上のように構成された、本発明のスイッチ取付具は、スイッチ５をパネル６に設けられた取付孔（図示せず）に挿入し、パネル６の裏側からスイッチ５にスイッチ取付具４を回転止め突起１ａが回転止め溝５ｂに沿うように嵌め込む。スイッチ取付具４をパネル６方向に押し込むと固定具２に設けた嵌合突起２ａが摺動しながら段階的にスイッチ５の凹凸部５ａと嵌合し、スイッチ５の鍔部５ｃと回転抑止具１の天面でパネル６を狭着して、図６及び図７に示すようにスイッチ５がパネル６に取付けられる。そして、取付け後はスイッチ取付具４を脱抜方向へ引っ張っても取外すことができない。
【００１３】
一方、スイッチ５が取付けられた状態で固定具２を回転させると連結部３が切断されスイッチ取付具４が破壊されるので固定具２が回転可能となり、凹凸部５ａと嵌合突起２ａの嵌合が外れることでスイッチ５をパネル６から取外すことができる。
【００１４】
このように、本実施例に示すスイッチ取付具は、スイッチ取付具４を破壊しなければスイッチ５を取外すことができない構成としたという特徴を有している。
【００１５】
さらに、スイッチ取付具４を破壊しなければスイッチ５を取外すことができない構成としたことにより、スイッチ取付具４を取外したときにはその痕跡を残すことができるため、スイッチ取付具４を不正に取外すことができないという特徴を有している。
【００１６】
本実施例ではスイッチ５を押ボタンスイッチとしているが、トグルスイッチやロッカスイッチ等のスイッチとしてもよく、種々の方法が考えられる。
【００１７】
図８は本発明の第一実施例を表すスイッチ取付具の応用例の要部断面図である。この応用例では連結部３を弾性を有するように形成している。取付け時に回転抑止具１の天面がパネル６に当接すると連結部３が撓み、凹凸部５ａと嵌合突起２ａが嵌合するとパネル６下方向へ付勢するため、嵌合部分をより強固に固定することができる。また、連結部３が撓むことで凹凸部５ａと嵌合突起２ａの嵌合位置を調整できるため、より多様なパネル厚への対応が可能となる。
【００１８】
図９は本発明の第二実施例を表すスイッチ取付具の斜視図、図１０は本発明の第二実施例を表すスイッチ取付具の側面図、図１１は本発明の第二実施例を表すスイッチ取付具の平面図である。この実施例ではスイッチ取付具７内面に回転止め溝５ｂと係合する回転止め突起７ａと、凹凸部５ａと嵌合する嵌合突起７ｂが形成され、側面には薄肉部７ｃが設けられている。嵌合突起７ｂが摺動しながら段階的に凹凸部５ａと嵌合してスイッチ５をパネル６に取付け、薄肉部７ｃに形成されたツマミ７ｄを引っ張って、薄肉部７ｃを剥離することでスイッチ取付具７に切り欠きを形成し、スイッチ取付具７が左右に広がるため嵌合が緩み、スイッチ５を取外すことができる。
【００１９】
なお、本発明は上記の実施例に限定されるものではなく、本発明の趣旨に基づき種々の変形が可能であり、これらを本発明の範囲から排除するものではない。
【産業上の利用可能性】
【００２０】
本発明のスイッチ取付具は、破壊しなければ取外すことができないスイッチ取付具であり不正防止スイッチ取付具として利用可能である。
【図面の簡単な説明】
【００２１】
【図１】本発明の第一実施例を表すスイッチ取付具の斜視図である。
【図２】本発明の第一実施例を表すスイッチ取付具の側面図である。
【図３】本発明の第一実施例を表すスイッチ取付具の平面図である。
【図４】本発明の第一実施例を表すスイッチ取付具のＡ−Ａ断面図である。
【図５】本発明の第一実施例を表すスイッチの側面図である。
【図６】本発明の第一実施例を表すスイッチ取付け時の側面図である。
【図７】本発明の第一実施例を表すスイッチ取付け時の要部断面図である。
【図８】本発明の第一実施例を表すスイッチ取付具の応用例の要部断面図である。
【図９】本発明の第二実施例を表すスイッチ取付具の斜視図である。
【図１０】本発明の第二実施例を表すスイッチ取付具の側面図である。
【図１１】本発明の第二実施例を表すスイッチ取付具の平面図である。
【符号の説明】
【００２２】
１          回転抑止具
１ａ，７ａ  回転止め突起
２          固定具
２ａ，７ｂ  嵌合突起
３          連結部
４，７      スイッチ取付具
５          スイッチ
５ａ        凹凸部
５ｂ        回転止め溝
５ｃ        鍔部
６          パネル
７ｃ        薄肉部
７ｄ        ツマミ
【図１】
2010067420.tif 000003
【図２】
2010067420.tif 000004
【図３】
2010067420.tif 000005
【図４】
2010067420.tif 000006
【図５】
2010067420.tif 000007
【図６】
2010067420.tif 000008
【図７】
2010067420.tif 000009
【図８】
2010067420.tif 000010
【図９】
2010067420.tif 000011
【図１０】
2010067420.tif 000012
【図１１】
2010067420.tif 000013